(57)【特許請求の範囲】
【請求項１】
複数の遊技機が並設された遊技機島内で、遊技球を搬送する傾斜した複数の搬送路が下流端の上方に次の搬送路の上流端が位置するよう配された各搬送路間に設けられ、遊技球を低所から高所に持ち上げて次の搬送路に受け継がせる遊技球揚送装置において、
前記搬送路の下流端から放出された遊技球を順次持ち上げて前記次の搬送路の上流端に放出するリフト機構を有し、該リフト機構は、前記各搬送路間に対して横方向から出し入れ可能なユニットとして構成され、
前記リフト機構は、前記搬送路の下流端からの遊技球を受け入れる導入口を備え、該導入口に、閉じた際にユニット内の遊技球の流出を防ぐ開閉可能なシャッターを一体に設け、
前記各搬送路間に予め設置され、前記リフト機構を正面開口より横方向に出し入れ可能に格納するハウジングを有し、
前記ハウジングに、前記搬送路の下流端が連通する球受入口と、前記次の搬送路の上流端が連通する球受渡口と、を設けたことを特徴とする遊技球揚送装置。
【請求項２】
前記搬送路の下流端に、閉じた際に該搬送路からの遊技球の放出を止める開閉可能なシャッターを設けたことを特徴とする請求項１に記載の遊技球揚送装置。
【請求項３】
前記シャッターの先端縁を、遊技球同士の間隙に入り込みやすい凹凸形状に切り欠いたことを特徴とする請求項１または２に記載の遊技球揚送装置。
【請求項４】
前記搬送路の下流端の下方に設置可能であり、該下流端から放出された遊技球を受け入れると共に遊技球を遊技機島外に排出する球排出受箱を有することを特徴とする請求項１，２または３に記載の遊技球揚送装置。
【請求項５】
前記ハウジングに、前記リフト機構を出し入れする際に、該リフト機構を載置可能な支持台を折り畳み可能に設けたことを特徴とする請求項１，２，３または４に記載の遊技球揚送装置。
【請求項６】
前記リフト機構の正面側に、該リフト機構を前記ハウジングから引き出す際に掴むための取手を設けたことを特徴とする請求項１，２，３，４または５に記載の遊技球揚送装置。
【請求項７】
前記ハウジングの上方を覆う状態に配され、前記遊技機より前記搬送路上に落下する遊技球を受ける保護カバーを有することを特徴とする請求項１，２，３，４，５または６に記載の遊技球揚送装置。
【発明の詳細な説明】
【技術分野】
【０００１】
本発明は、複数の遊技機が並設された遊技機島内で、遊技球を搬送する傾斜した複数の搬送路が下流端の上方に次の搬送路の上流端が位置するよう配された各搬送路間に設けられ、遊技球を低所から高所に持ち上げて次の搬送路に受け継がせる遊技球揚送装置に関する。
【背景技術】
【０００２】
従来、パチンコ機に代表される遊技機を複数並設した遊技機島は、一般に島上部に設置したタンクから傾斜した補給樋を各遊技機の上方に渡るように延ばし、この補給樋の傾斜により遊技球を流下させて各遊技機まで搬送するように構成されていた。かかる補給樋の傾斜角を小さくして配置スペースを抑える工夫として、特許文献１には、島上部のタンクから島端に向けて始端側（タンク側）を高く終端側（島端側）を低くした補給樋を複数組み合わせると共に、各補給樋間に低所から高所に遊技球を持ち上げて受け継がせる持上体を設置した技術が開示されている。
【０００３】
また、前記持上体に相当する別の揚送装置として、特許文献２には、遊技球を係止可能な無端の揚送ベルトを駆動プーリと従動プーリとに架け渡し、モータで駆動プーリを回転駆動して揚送ベルトを周回させることにより、下方位置から導入される遊技球を上方位置まで揚送して排出する装置が開示されている。かかる揚送装置では、モータと駆動プーリと従動プーリとを、揚送ベルトで囲まれた領域内に収納されるように配置して支持部材に組み込むことにより、当該装置を遊技機島に対して独立に着脱可能なユニットとして構成していた。
【０００４】
ところで、従来の遊技機島の島下部には、一般に各遊技機から排出された遊技球を受ける回収樋が島端から研磨揚送装置に向けて傾斜するように延ばされていた。かかる回収樋を含む島下部に関しても、近年においては、配置スペースをなるべく抑えることにより、空いたスペースを遊技者の足元のゆとりや空調効率を上げて冷暖房費の削減のための空間として活用するような提案がなされていた。ここで回収樋の配置スペースを抑える工夫として、前述した特許文献１，２に記載の技術をそのまま適用することが考えられる。
【先行技術文献】
【特許文献】
【０００５】
【特許文献１】特公平６−７７６２５号公報
【特許文献２】特開２００８−５１８号公報
【発明の概要】
【発明が解決しようとする課題】
【０００６】
しかしながら、前述した特許文献１，２に開示された従来の揚送装置では、何れも装置本体の保守点検や交換時には、装置本体を島上部の上方より取り外したり取り付ける作業が前提であった。そのため、島上部と違って上方に空いたスペースがない島下部では、前記揚送装置をそのまま設置することはできなかった。仮に、遊技機島の組立時に合わせて設置できたとしても、前記スペース上の理由により保守点検や交換の作業が非常に困難であるという問題が想定される。
【０００７】
また、従来の揚送装置では、装置本体を島上部から取り外したり取り付ける際に、装置本体内に残っている遊技球が外部に零れないように、予め手作業で装置本体内の駆動部分を回転させたりしつつ遊技球を外部に抜き出しておかなければならなかった。このような遊技球の抜き出し作業に余計な時間がかかったり、残ってしまった遊技球が装置本体を取り外した際に零れる等して、円滑な保守点検や交換の作業ができないという問題もあった。
【０００８】
本発明は、以上のような従来の技術が有する問題点に着目してなされたものであり、島上部のみならず島下部であっても、本装置を島から取り外したり取り付ける作業上何ら問題なく設置することが可能であり、また、保守点検や交換の作業時に遊技球を抜き出すような余計な作業を不要とし、保守点検や交換の作業効率を向上することができる遊技球揚送装置を提供することを目的としている。
【課題を解決するための手段】
【０００９】
前述した目的を達成するための本発明の要旨とするところは、以下の各項の発明に存する。  
［１］複数の遊技機（１０）が並設された遊技機島（１）内で、遊技球を搬送する傾斜した複数の搬送路（２１，２２）が下流端の上方に次の搬送路（２２）の上流端が位置するよう配された各搬送路（２１，２２）間に設けられ、遊技球を低所から高所に持ち上げて次の搬送路（２２）に受け継がせる遊技球揚送装置（１００）において、
前記搬送路（２１）の下流端から放出された遊技球を順次持ち上げて前記次の搬送路（２２）の上流端に放出するリフト機構（１１０）を有し、該リフト機構（１１０）は、前記各搬送路（２１，２２）間に対して横方向から出し入れ可能なユニットとして構成され、
前記リフト機構（１１０）は、前記搬送路（２１，２２）の下流端からの遊技球を受け入れる導入口（１１３）を備え、該導入口（１１３）に、閉じた際にユニット内の遊技球の流出を防ぐ開閉可能なシャッター（１２０）を一体に設け、
前記各搬送路（２１，２２）間に予め設置され、前記リフト機構（１１０）を正面開口より横方向に出し入れ可能に格納するハウジング（１４０）を有し、
前記ハウジング（１４０）に、前記搬送路（２１）の下流端が連通する球受入口（１４１）と、前記次の搬送路（２２）の上流端が連通する球受渡口（１４２）と、を設けたことを特徴とする遊技球揚送装置（１００）。
【００１０】
［２］前記搬送路（２１）の下流端に、閉じた際に該搬送路（２１）からの遊技球の放出を止める開閉可能なシャッター（１５０）を設けたことを特徴とする［１］に記載の遊技球揚送装置（１００）。
【００１１】
［３］前記シャッター（１２０，１５０）の先端縁を、遊技球同士の間隙に入り込みやすい凹凸形状に切り欠いたことを特徴とする［１］または［２］に記載の遊技球揚送装置（１００）。
【００１２】
［４］前記搬送路（２１）の下流端の下方に設置可能であり、該下流端から放出された遊技球を受け入れると共に遊技球を遊技機島（１）外に排出する球排出受箱（１７０）を有することを特徴とする［１］，［２］または［３］に記載の遊技球揚送装置（１００）。
【００１４】
［５］前記ハウジング（１４０）に、前記リフト機構（１１０）を出し入れする際に、該リフト機構（１１０）を載置可能な支持台（１６０）を折り畳み可能に設けたことを特徴とする［１］，［２］，［３］または［４］に記載の遊技球揚送装置（１００）。
【００１５】
［６］前記リフト機構（１１０）の正面側に、該リフト機構（１１０）を前記ハウジング（１４０）から引き出す際に掴むための取手（１１２）を設けたことを特徴とする［１］，［２］，［３］，［４］または［５］に記載の遊技球揚送装置（１００）。
【００１６】
［７］前記ハウジング（１４０）の上方を覆う状態に配され、前記遊技機（１０）より前記搬送路（２１，２２）上に落下する遊技球を受ける保護カバー（５）を有することを特徴とする［１］，［２］，［３］，［４］，［５］または［６］に記載の遊技球揚送装置（１００）。
【００１７】
前記本発明は次のように作用する。  
前記［１］に記載の遊技球揚送装置（１００）によれば、装置の主要部であるリフト機構（１１０）はユニット化され、一単位としてまとめて設置箇所である各搬送路（２１，２２）間に対して、特に横方向から出し入れすることが可能である。これにより、従来のように上方に空きスペースがある島上部の補給樋ばかりでなく、上方には空きスペースがない島下部の回収樋（２１，２２）にも設置することができる。
【００１８】
すなわち、上方には空きスペースがない島下部においても、該島下部に配される回収樋（２１，２２）を複数組み合わせることで配置スペースを抑えつつ、各回収樋（２１，２２）間に前記リフト機構（１１０）を設置することができる。そして、保守点検や交換の作業時には、前記リフト機構（１１０）を各回収樋（２１，２２）間からスペース的な制約のない横方向に容易に取り外したり取り付ける作業を行うことができる。
【００１９】
しかも、前記リフト機構（１１０）において、前記搬送路（２１）の下流端からの遊技球を受け入れる導入口（１１３）に、開閉可能なシャッター（１２０）を一体に設けた。これにより、前記リフト機構（１１０）を外部に取り出す際に、その導入口（１１３）をシャッター（１２０）で閉じることにより、ユニット内の遊技球が外部に流出することがない。従って、リフト機構（１１０）から予め遊技球を抜き出すような面倒な準備が不要となり、保守点検や交換の作業を効率良く行うことができる。なお、シャッター（１２０）は、リフト機構（１１０）と一体でありユニットの一部を成す。
さらに、前記各搬送路（２１，２２）間にリフト機構（１１０）のハウジング（１４０）を予め設置しておき、該ハウジング（１４０）の正面開口より横方向にリフト機構（１１０）を出し入れ可能に格納することで、前記各搬送路（２１，２２）間に容易にリフト機構（１１０）を設置することができる。また、ハウジング（１４０）に、前記搬送路（２１）の下流端が連通する球受入口（１４１）と、前記次の搬送路（２２）の上流端が連通する球受渡口（１４２）と、を設けたことにより、ハウジング（１４０）内のリフト機構（１１０）を介して円滑に遊技球を搬送路（２１）から次の搬送路（２２）まで受け継がせることができる。
【００２０】
前記［２］に記載の遊技球揚送装置（１００）によれば、前記リフト機構（１１０）に遊技球を受け渡す搬送路（２１）の下流端には、閉じた際に該搬送路（２１）からの遊技球の放出を止める開閉可能なシャッター（１５０）を設けた。これにより、前記リフト機構（１１０）を外部に取り出す際に、搬送路（２１）の下流端もシャッター（１５０）で閉じることにより、搬送路（２１）から遊技球が外部に零れ落ちる事態を防ぐことができる。従って、前記リフト機構（１１０）の保守点検や交換の作業をよりいっそう効率良く行うことができる。
【００２１】
前記［３］に記載の遊技球揚送装置（１００）によれば、前記リフト機構（１１０）の導入口（１１３）を開閉するシャッター（１２０）、および前記搬送路（２１）の下流端を開閉するシャッター（１５０）の先端縁（１５４）を、それぞれ遊技球同士の間隙に入り込みやすい凹凸形状に切り欠く。これにより、シャッター（１２０，１５０）の閉操作に伴って、その先端縁（１５４）を遊技球溜まり中に圧入させる場合でも、前記凹凸形状によって遊技球を押し退ける抵抗が少なくなり、シャッター（１２０，１５０）を容易に閉じることができる。
【００２２】
前記［４］に記載の遊技球揚送装置（１００）によれば、前記搬送路（２１）の下流端の下方に設置可能であり、該下流端から放出された遊技球を受け入れると共に遊技球を遊技機島（１）外に排出する球排出受箱（１７０）を有する。搬送路（２１）の下流端のシャッター（１５０）を長時間閉じておくと、搬送路（２１）が回収樋の場合は遊技機（１０）から排出された遊技球が回収樋に過度に溜まってしまい球詰まりを起こす虞がある。そこで、前記シャッター（１５０）を開状態にして、搬送路（２１）の下流端から放出された遊技球を前記球排出受箱（１７０）に受け入れ外部に排出することで、回収樋の球詰まりを防止することができる。
【００２４】
前記［５］に記載の遊技球揚送装置（１００）によれば、前記ハウジング（１４０）に、リフト機構（１１０）を出し入れする際に、該リフト機構（１１０）を載置可能な支持台（１６０）を折り畳み可能に設けた。これにより、リフト機構（１１０）を作業時に支持台（１６０）上に置くことができるので、狭いスペースでも保守点検や交換の作業を容易に行うことができる。また、支持台（１６０）を使用しない時は、折り畳んで収納しておくことで余計な配置スペースも必要ない。
【００２５】
前記［６］に記載の遊技球揚送装置（１００）によれば、前記リフト機構（１１０）の正面側に、該リフト機構（１１０）を前記ハウジング（１４０）から引き出す際に掴むための取手（１１２）を設けたから、リフト機構（１１０）をハウジング（１４０）から横方向に容易に取り出したり再び収納する作業を行うことができる。
【００２６】
前記［７］に記載の遊技球揚送装置（１００）によれば、前記ハウジング（１４０）の上方に、前記遊技機（１０）より前記搬送路（２１，２２）上に落下する遊技球を受ける保護カバー（５）を覆うように配することで、遊技球がハウジング（１４０）に直接衝突する事態を防ぎ、該ハウジング（１４０）内のリフト機構（１１０）を遊技球の衝撃から保護することができる。
【発明の効果】
【００２７】
本発明に係る遊技球揚送装置によれば、島上部のみならず島下部であっても、本装置を島から取り外したり取り付ける作業上何ら問題なく設置することができる。また、保守点検や交換の作業時に遊技球を抜き出す余計な作業を不要とし、保守点検や交換の作業効率を向上することができる。
【図面の簡単な説明】
【００２８】
【図１】本発明の実施の形態に係る遊技球揚送装置を遊技機島の島下部に設置した状態を示す正面図である。
【図２】本発明の実施の形態に係る遊技球揚送装置を遊技機島の島下部に設置した状態を示す右側面図である。
【図３】本発明の実施の形態に係る遊技球揚送装置を設置した遊技機島の全体を示す正面図である。
【図４】本発明の実施の形態に係る遊技球揚送装置を示す正面図である。
【図５】本発明の実施の形態に係る遊技球揚送装置の球零れ防止シャッターを開いた状態を示す左側面図である。
【図６】本発明の実施の形態に係る遊技球揚送装置の球零れ防止シャッターを閉じた状態を示す左側面図である。
【図７】本発明の実施の形態に係る遊技球揚送装置の球零れ防止シャッターとそのベース部材を上方から見た斜視図である。
【図８】本発明の実施の形態に係る遊技球揚送装置の球零れ防止シャッターのロック機構を説明する正面図であり、（ａ）は拘束解除状態を、（ｂ）は拘束状態を示している。
【図９】本発明の実施の形態に係る遊技球揚送装置のリフト機構の内部構造を示す正面図である。
【図１０】本発明の実施の形態に係る遊技球揚送装置のリフト機構の内部構造を示す平面図である。
【図１１】本発明の実施の形態に係る遊技球揚送装置のハウジングの球受入口を内側から見た斜視図である。
【図１２】本発明の実施の形態に係る遊技球揚送装置のハウジングの球受入口を球止めシャッターで閉じた状態を示す斜視図である。
【図１３】本発明の実施の形態に係る遊技球揚送装置のハウジングの球受入口から球止めシャッターを開く途中の状態を示す斜視図である。
【図１４】本発明の実施の形態に係る遊技球揚送装置のハウジングの球受入口を拡大して示すものであり、（ａ）は正面図、（ｂ）は右側面図である。
【図１５】本発明の実施の形態に係る遊技球揚送装置のハウジングの球受入口を開閉する球止めシャッターを拡大して示すものであり、（ａ）は正面図、（ｂ）は右側面図である。
【図１６】本発明の実施の形態に係る遊技球揚送装置のハウジングからリフト機構を取り出して支持台を折り畳んだ状態を示す斜視図である。
【図１７】本発明の実施の形態に係る遊技球揚送装置のハウジングからリフト機構を取り出して支持台を展開させた状態を示す斜視図である。
【図１８】本発明の実施の形態に係る遊技球揚送装置のハウジングの支持台を拡大して示すものであり、（ａ）は平面図、（ｂ）は正面図、（ｃ）は直角に折り曲げた状態の右側面図である。
【図１９】本発明の実施の形態に係る遊技球揚送装置のハウジングからリフト機構を取り出して球排出受箱および玉箱を設置した状態を示す斜視図である。
【図２０】本発明の実施の形態に係る遊技球揚送装置の球排出受箱を拡大して示すものであり、（ａ）は平面図、（ｂ）はＡ−Ａ線断面図、（ｃ）はＢ−Ｂ線断面図である。
【発明を実施するための形態】
【００２９】
以下、図面に基づき、本発明を代表する実施の形態を説明する。  
本実施の形態に係る遊技球揚送装置１００は、複数の遊技機１０が並設された遊技機島１内に設けられ、遊技球を低所から高所に持ち上げて搬送するための装置である。以下、遊技球揚送装置１００を遊技機島１における島下部に設置した場合を例に説明する。
【００３０】
先ず遊技機島１の概要から説明する。図３に示すように、遊技機島１は、フロア上に構築した島枠の中段部分に複数の遊技機１０が並設されている。遊技機１０は、遊技球としてパチンコ球を使用して遊技を行うパチンコ機であり、各遊技機１０ごとに、パチンコ球を貸し出す球貸機１１が付設されている。遊技機１０および球貸機１１は、前後２列となる背中合わせの状態に並設され、これらの背面間には、球貸機１１で取り込まれた紙幣や硬貨を島端まで送るための搬送装置等が配設されている。
【００３１】
遊技機島１は、遊技機１０や球貸機１１の他、遊技球を循環させて繰り返し使用するための球搬送経路を成す各種付帯設備も島枠内に装備され、島枠外には図示省略したが外装が施されている。また、遊技機島１の島端（図３中で右端）には、球搬送経路の一部を成す島端ユニット１２が配設されている。
【００３２】
島端ユニット１２内には、図示省略したが一定量の遊技球を貯留する下部タンクの他、下部タンク内の遊技球を島上部まで研磨しながら揚送する研磨機、それに研磨済みの遊技球を一時的に貯留する上部タンク等が配設されている。なお、島端ユニット１２の外側には、遊技者が遊技で獲得した遊技球を計数するための景品球計数機が配設され、この計数機に投入された遊技球は前記下部タンク内に導入されるようになっている。
【００３３】
また、遊技機島１の島下部には、各遊技機１０より排出された遊技球を受け入れて前記島端ユニット１２に向けて搬送するための回収機構が配設されている。回収機構は、複数の搬送路である回収樋２１，２２と、各回収樋２１，２２間に設けた遊技球揚送装置１００とから構成される。各回収樋２１，２２は、何れも傾斜を利用して遊技球を流下させて搬送するものである。本実施の形態では、上流側となる一方の回収樋２１と、下流側となる他方の回収樋２２とを備える。
【００３４】
一方の回収樋２１は、遊技機島１の島端（図３中で左端）から傾斜しつつ延び、この回収樋２１の下流端の上方に、他方の回収樋２２の上流端が位置するよう配置されている。他方の回収樋２２は、一方の回収樋２１の下流端の上方から傾斜しつつ延びているが、全長は回収樋２１より短い。また、他方の回収樋２２の下流端は、前記島端ユニット１２にある下部タンクに連通接続される。これらの各回収樋２１，２２には、上方にある各遊技機１０からアウト球として排出された遊技球がそのまま落下して受け入れられる。
【００３５】
本発明の根幹を成す遊技球揚送装置１００は、一方の回収樋２１の低位となる下流端と、他方の回収樋２２の高位となる上流端との間に設けられ、遊技球を低所から高所に持ち上げて各回収樋２１，２２間で受け継がせる装置である。このように複数の回収樋２１，２２を組み合わせると共に、各回収樋２１，２２間に遊技球揚送装置１００を設けることで、回収機構全体の高さ方向の配置スペースを抑えることができ、その分、島下部に空きスペース２を設けることができる。なお、空きスペース２には島枠の土台をなす脚台３が配されている。
【００３６】
図１は、島下部における遊技球揚送装置１００の設置状態を示す正面図であり、図２は、同じく遊技球揚送装置１００の設置状態を示す右側面図である。また、図４は、遊技球揚送装置１００を示す正面図であり、図５は、同じく遊技球揚送装置１００の左側面図である。遊技球揚送装置１００は、一方の回収樋２１の下流端から放出された遊技球を順次持ち上げて他方の回収樋２２の上流端に放出するリフト機構１１０を有し、該リフト機構１１０は、各回収樋２１，２２間に対して横方向から出し入れ可能なユニットとして構成されている。
【００３７】
図４，図５に示すように、リフト機構１１０は箱形の外装カバー１１１で囲まれ、外装カバー１１１の正面壁には、リフト機構１１０を本実施の形態の横方向である正面側前方に引き出す際に掴む取手１１２が設けられている。また、外装カバー１１１の左側面壁の下部には、一方の回収樋２１の下流端からの遊技球を受け入れる導入口１１３が開設され、外装カバー１１１の右側面壁の上部には、他方の回収樋２２の上流端へ遊技球を放出する放出口１１４が開設されている。
【００３８】
前記導入口１１３には、前記リフト機構１１０を外部に取り出す際に、該導入口１１３を閉じてユニット内の遊技球の流出を防ぐ球零れ防止シャッター１２０が開閉可能に一体に設けられている。図５に示すように、外装カバー１１１の左側面壁における導入口１１３の上方にはベース部材１１５が固設され、このベース部材１１５に球零れ防止シャッター１２０が上下方向にスライド可能に取り付けられている。図５中の球零れ防止シャッター１２０は、導入口１１３を開いている通常の開位置にロックされた状態にある。
【００３９】
図６は、球零れ防止シャッター１２０が下方に移動して導入口１１３を閉じた閉位置にある状態を示している。図７は、ベース部材１１５および球零れ防止シャッター１２０を上方から見た斜視図であり、図８は、球零れ防止シャッター１２０のロック機構の説明図である。図５〜図７に示すように、ベース部材１１５の両側には、それぞれ前方へ略コ字形断面に出っ張り上下方向に延びる一対の取付部１１６，１１６が形成され、各取付部１１６に上下方向に延びるガイド溝１１７が穿設されている。ガイド溝１１７の上端には、溝幅よりも大径の円形孔１１７ａが連通するように形成されている。
【００４０】
球零れ防止シャッター１２０は長方形の薄板材から成り、その先端縁となる下端縁１２１は、前記導入口１１３の底面上に溜まった遊技球同士の間隙に入り込みやすいよう凹凸形状に切り欠かれている。かかる凹凸形状は、遊技球同士の間隙に入り込みやすいよう通常は遊技球の直径より小さな尖端が繰り返されるような形状であれば何でも良いが、本実施の形態では、三角形の凹凸が交互に繰り返すギザギザ状に形成している。また、球零れ防止シャッター１２０の上端縁１２２は、前方に向って直角に折曲されたフランジを成している。
【００４１】
球零れ防止シャッター１２０は上部両側で、前記ベース部材１１５の各取付部１１６にあるガイド溝１１７に固着子１２３を介して取り付けられている。図７，図８に示すように、固着子１２３は、ガイド溝１１７（円形孔１１７ａを含む）内に移動可能に嵌合して案内される軸部１２４を有し、その一端側には円形孔１１７ａより大径の抜け止め防止用のツバ１２５が設けられ、他端側が球零れ防止シャッター１２０にネジ止めされている。ここで一方の固着子１２３（図５中で右側）には、ロック機構を含む操作レバー１２６が取り付けられている。
【００４２】
ロック機構は、球零れ防止シャッター１２０を上方の開位置に拘束するものであり、このロック機構がある固着子１２３の軸部１２４には、軸心を挟んだ両端外周が切り欠かれた平坦面１２４ａが形成されている。この両端の平坦面１２４ａ間の厚さが前記ガイド溝１１７の溝幅とほぼ等しく、軸部１２４の外径は前記円形孔１１７ａの内径とほぼ等しく設定されている。図８（ａ）に示すように、固着子１２３の平坦面１２４ａが上下方向に平行である時、固着子１２３はガイド溝１１７（円形孔１１７ａを含む）内を移動できるが、図８（ｂ）に示すように、固着子１２３の平坦面１２４ａが円形孔１１７ａ内で水平方向と平行になると、固着子１２３は円形孔１１７ａ内に拘束される。
【００４３】
このようなロック機構を含む固着子１２３の軸部１２４の他端側は、球零れ防止シャッター１２０に軸支され、その先に操作レバー１２６が所定角度で一体にネジ止めされている。ここで所定角度とは、図５に示すように、操作レバー１２６が回転中心である固着子１２３より下方に真っ直ぐ延びた時は、図８（ｂ）に示す拘束状態となり、図６に示すように、操作レバー１２６を側方に９０度回転させると、図８（ａ）に示す拘束解除状態となって、球零れ防止シャッター１２０を閉位置に移動させることができる角度である。なお、ロック機構がない他方の固着子１２３（図５中で左側）は、図８（ａ）に示す拘束解除状態となる角度で、球零れ防止シャッター１２０に回転不能にネジ止めされている。
【００４４】
図９は、リフト機構１１０の内部構造を示す正面図であり、図１０は、リフト機構１１０の同じく内部構造を示す平面図である。なお、図１０中では、前記球零れ防止シャッター１２０や前記ベース部材１１５等を図示省略する。図９，図１０に示すように、リフト機構１１０は、遊技球を係止可能な無端の揚送ベルト１３１を、駆動プーリ１３２と従動プーリ１３３とに架け渡し、電動モータ１３４で駆動プーリ１３２を回転駆動して揚送ベルト１３１を周回させることにより遊技球を下部から上部へと搬送するように構成されている。
【００４５】
詳しく言えばリフト機構１１０は、駆動プーリ１３２と従動プーリ１３３、それにテンションプーリ１３５を三角形に配置し、これらに揚送ベルト１３１を架け渡してある。駆動プーリ１３２と従動プーリ１３３、テンションプーリ１３５、および電動モータ１３４は、それぞれ揚送ベルト１３１で囲まれた領域内に収納されるように配置されて外装カバー１１１に組み込まれている。
【００４６】
前記導入口１１３の底面は、一方の回収樋２１の下流端から流入する遊技球を従動プーリ１３３近傍における揚送ベルト１３１の導入位置に向けて案内するように設けられている。また、前記放出口１１４の底面は、駆動プーリ１３２近傍の放出位置において揚送ベルト１３１から離脱した遊技球を他方の回収樋２２の上流端へ放出するように設けられている。
【００４７】
電動モータ１３４は、取付ブラケット１３４ｂを介して外装カバー１１１に位置調整可能に取り付けられている。電動モータ１３４の回転力は、駆動ベルト１３４ａを介して駆動プーリ１３２に伝達される。図９，図４に示すように、テンションプーリ１３５の回動軸１３５ａの両端は、それぞれ軸受部材１３５ｂに回動可能に軸支され、各軸受部材１３５ｂは、それぞれ板状のテンション調整部材１３５ｃに固設されている。各テンション調整部材１３５ｃは、それぞれ外装カバー１１１に対して位置調整可能にネジ止めされている。
【００４８】
図９に示すように、揚送ベルト１３１は、遊技球を掛止可能なリフト体１３１ａを連結軸１３１ｂによって回動自在に多数連結して無端のベルト状にしたものである。このような揚送ベルト１３１を含む外装カバー１１１のさらに詳細な構成は、本出願人が既に提案している特開２００８−５１８号公報（特許文献２）に開示された通りである。もちろん、別タイプの構成でもって遊技球を低所から高所に持ち上げるリフト機構であっても良い。例えば、同じく本出願人が既に提案している特公平６−７７６２５号公報（特許文献１）に開示されたものを適用してもかまわない。
【００４９】
図１〜図３に示すように、遊技球揚送装置１００は、前記各回収樋２１，２２間に予め設置したハウジング１４０を有し、このハウジング１４０内に、前述のユニット化したリフト機構１１０を出し入れ可能に格納する。ハウジング１４０は、リフト機構１１０の外装カバー１１１より一回り大きな内部空間を備える箱型に形成され、その正面側が大きく開口しており、前記リフト機構１１０を正面開口より正面側前方（横方向）に出し入れできるようになっている。ハウジング１４０は、遊技機島１の島下部において一方の回収樋２１の下流端と他方の回収樋２２の上流端との間に位置するよう吊り金具４を介して設置される。
【００５０】
ハウジング１４０の左側面壁の下部には、一方の回収樋２１の下流端が連通する球受入口１４１が設けられ、ハウジング１４０の右側面壁の上部には、他方の回収樋２２の上流端が連通する球受渡口１４２が設けられている。球受入口１４１の外側には、連結金具１４３を介して一方の回収樋２１の下流端が接続され、球受渡口１４２の外側には、連結金具１４４を介して他方の回収樋２２の上流端が接続される。
【００５１】
ハウジング１４０内に格納された前記リフト機構１１０は、球受入口１４１から流入する遊技球を前記導入口１１３より受け入れて、回転する揚送ベルト１３１で揚送して前記放出口１１４より球受渡口１４２へ放出することになる。一方の回収樋２１の下流端となる球受入口１４１には、前記リフト機構１１０を外部に取り出す際に、該球受入口１４１を閉じて回収樋２１からの遊技球の放出を止める開閉可能な球止めシャッター１５０が設けられている。
【００５２】
図１１は、ハウジング１４０の球受入口１４１を内側から見た斜視図であり、図１２は、球受入口１４１を球止めシャッター１５０で閉じた状態を示し、図１３は、球止めシャッター１５０を開く途中の状態を示している。図１４は、球受入口１４１を拡大して示し、図１５は、球止めシャッター１５０を拡大して示している。図１１〜図１４に示すように、球受入口１４１はハウジング１４０内に矩形枠状に突出しており、その上面には、球受入口１４１の長手方向である前後に延びるレール部材１４５が固設されている。
【００５３】
図１４に示すように、レール部材１４５は、長手方向に延びるその下部側が一段幅狭となる突条断面に形成されており、このレール部材１４５に対して球止めシャッター１５０が前後方向にスライド可能に取り付けられる。図１３，図１５に示すように、球止めシャッター１５０は、球受入口１４１を塞ぐ大きさの長方形の薄板材から成り、その上端縁に沿って、前記球受入口１４１の上面に沿うように直角に折曲された上辺部１５１が設けられている。上辺部１５１には、その長手方向に沿って前後に延びるスリット１５２が穿設されている。スリット１５２の溝幅は、レール部材１４５の一段幅狭な下部側が挿通し得る大きさに設定されている。
【００５４】
上辺部１５１の後端は、上方に立ち上がるように折曲され、この立ち上がった部位に、スリット１５２の幅広な上部側も嵌入可能な抜差し口１５３がスリット１５２に連続して形成されている。すなわち、球止めシャッター１５０は、その抜差し口１５３よりレール部材１４５の正面手前に位置する基端側より差し込むように取り付けられて、スリット１５２にレール部材１４５の一段幅狭な下部側がスライド可能に嵌合することで、球受入口１４１に対して前後方向に開閉することができる。
【００５５】
球止めシャッター１５０において、球受入口１４１を閉じる際にその底面上に溜まった遊技球に最初に接触する先端縁１５４は、遊技球同士の間隙に入り込みやすいよう凹凸形状に切り欠かれている。かかる凹凸形状は、前記球零れ防止シャッター１２０の下端縁１２１と同様に、遊技球同士の間隙に入り込みやすいよう通常は遊技球の直径より小さな尖端が繰り返されるような形状であれば何でも良い。本実施の形態では、球止めシャッター１５０の先端縁を、三角形の凹凸が交互に繰り返すギザギザ状に形成している。また、球止めシャッター１５０の正面手前の基端縁には、前記上辺部１５１の前端縁にも連なる正面壁１５５が設けられ、正面壁１５５には、球止めシャッター１５０を開閉する際に掴むツマミ１５６が設けられている。
【００５６】
また、図１，図２に示すように、ハウジング１４０の正面開口の前端縁には、前記リフト機構１１０を出し入れする際に、該リフト機構１１０を載置できる支持台１６０が折り畳み可能に設けられている。図１６は、支持台１６０を折り畳んで立ち上げた収納状態を示し、図１７は、支持台１６０を前方へ伸展させた使用状態を示している。図１８は、支持台１６０を拡大して示している。図１，図２，図１６〜図１８に示すように、支持台１６０は、２枚の長方形の板材１６１，１６２の一端同士を連結して構成されている。各板材１６１，１６２は、両側端縁に補強用のリブが設けられており、互いに対向する一端同士が蝶番１６３を介して開閉可能に連結されている。
【００５７】
支持台１６０の一方の板材１６１の基端は、ハウジング１４０の正面開口の前端縁に蝶番１６３を介して連結されている。一方の板材１６１は、ハウジング１４０の正面開口を塞ぐように立ち上がる状態（図１６参照）と、ハウジング１４０の正面開口より前方へ水平に延びる状態（図１７参照）とに、それぞれ位置規制できるように設定されている。また、一方の板材１６１の先端に対して他方の板材１６２の基端は、前記蝶番１６３を介して、各板材１６１，１６２が重なり合う状態（図１６参照）と、所定角度に開いた状態（図１７参照）とに、それぞれ位置規制できるように支持されている。
【００５８】
ここで所定角度とは、一方の板材１６１が水平に延びる状態の際に、他方の板材１６２の先端がフロア上に接地する角度である。かかる角度に位置規制されるように、各板材１６１，１６２の一端には、それぞれ前記角度で対接し合うストッパ片（図１８（ｃ）参照）が設けられている。これにより、ハウジング１４０の正面開口よりリフト機構１１０を出し入れする際、板材１６１を略水平な状態に維持でき、この上にリフト機構１１０を載置できるようになっている。
【００５９】
図１９は、ハウジング１４０内の底部に、球受入口１４１から放出された遊技球を受け入れると共に遊技機島１外に排出する球排出受箱１７０を設置した状態を示している。図２０は、球排出受箱１７０を拡大して示している。図１９，図２０に示すように、球排出受箱１７０は、基本的には箱形に形成され、その上面側が大きく開口しており、前記回収樋２１の下流端である球受入口１４１の下方に設置された際、球受入口１４１から放出される遊技球を受け入れるものである。球排出受箱１７０が遊技球を受け入れるのは、球受入口１４１から球止めシャッター１５０が外された時である。
【００６０】
図２０に示すように、球排出受箱１７０の底面部１７１は、その一端側に向って下方に傾斜しており、その先には遊技球を外部へ落下させる開口部１７２が設けられている。球排出受箱１７０は、図１９に示すように、開口部１７２がハウジング１４０の正面開口の前端縁より前方に突出した状態でハウジング１４０内に設置するようになっており、開口部１７２の下方にはさらに一般に玉箱６が置かれることになる。すなわち、球受入口１４１から放出された遊技球は、球排出受箱１７０にいったん受け入れた後、玉箱６に排出されるようになっている。
【００６１】
ところで、図３中では図示省略したが、遊技機島１の島上部には、前記島端ユニット１２内の上部タンクに貯留された遊技球を各遊技機１０まで搬送して補給するための補給機構が配されている。ここで補給機構は、前記複数の回収樋２１，２２とほぼ同等の構成の複数の補給樋と、各補給樋間に設けた前記遊技球揚送装置１００とから構成することができる。各補給樋の途中には、流下中の遊技球を下方の各遊技機１０に落下させることができる配給シュートを設けることになる。このように遊技球揚送装置１００を設ける搬送路は、前記回収樋２１，２２に限られることなく、補給樋にも適用することができる。
【００６２】
あるいは、別の補給機構として、前記複数の回収樋２１，２２および遊技球揚送装置１００の組み合わせに代えて、島端ユニット１２のある遊技機島１の一端（図３中で右端）から他端（図３中で左端）に亘り、島上部に従来から知られている動力式の補給路を略水平に配設してもかまわない。一般に動力式の補給路は、図示省略したがベルトコンベアによって遊技球を強制的に搬送する装置である。かかる動力式の補給路は、遊技球を水平方向に搬送できるため、自然落下によって遊技球を搬送する補給樋のように勾配をつける必要がなく、その分いっそう島上部の高さを抑えることができるがコストが嵩む。
【００６３】
次に、前述した本実施の形態の作用について説明する。  
図１において、各遊技機１０で使用された後にアウト球として排出された遊技球は、島下部に配された各回収樋２１，２２上に落下する。一方の回収樋２１内の遊技球は、そのまま回収樋２１の勾配に従い下流端に向って自重で流下する。この回収樋２１の下流端に至った遊技球は、遊技球揚送装置１００によって揚送され他方の回収樋２２に受け継がれる。
【００６４】
回収樋２２に受け継がれた遊技球や回収樋２２上に遊技機１０から直接落下した遊技球は、そのまま回収樋２２の勾配に従い下流端に向って自重で流下する。この回収樋２２の下流端に至った遊技球は、島端にある島端ユニット１２内の下部タンクに導入され、研磨機により研磨されながら島上部まで揚送されて上部タンク内に貯留される。上部タンク内の遊技球は、島上部に配されている補給機構によって再び各遊技機１０へ補給される。このような球搬送経路によって、遊技球は遊技機島１内を循環しつつ繰り返し使用される。
【００６５】
遊技機島１の島下部では、複数の回収樋２１，２２を組み合わせると共に、各回収樋２１，２２間に遊技球揚送装置１００を設けることで、回収機構全体の高さ方向の配置スペースを抑えることができる。これにより、島下部に空きスペース２を設けることが可能となり、かかる空きスペース２は、遊技者の足元のゆとり空間や遊技ホールの空調効率を上げるための空間として活用される。なお、動力式のベルトコンベア等によって回収機構を構成しないことにより、島全体のコスト低減も可能となる。
【００６６】
遊技球揚送装置１００に関しては、図４，図５に示すように、装置の主要部であるリフト機構１１０が外装カバー１１１に囲まれたユニットとして構成されており、一単位としてまとめて設置箇所である各回収樋２１，２２間に対して、特に横方向から出し入れすることが可能となっている。これにより、従来のように上方に空きスペースがある島上部の補給樋ばかりでなく、上方には空きスペースがない島下部の回収樋２１，２２にも設置することができるようになった。
【００６７】
すなわち、上方には空きスペースがない島下部においても、該島下部に配される回収樋２１，２２を複数組み合わせることで配置スペースを抑えつつ、各回収樋間２１，２２に遊技球揚送装置１００を設置することができる。そして、遊技球揚送装置１００の保守点検や交換の作業時には、リフト機構１１０を各回収樋２１，２２間からスペース的な制約のない横方向に容易に取り外したり取り付ける作業を行うことができる。
【００６８】
各回収樋２１，２２間には、図１〜図３に示すように、ハウジング１４０を予め設置しておき、該ハウジング１４０の正面開口より横方向である正面側前方にリフト機構１１０を出し入れ可能に格納する。これにより、各回収樋２１，２２間に容易にリフト機構１１０を設置することができる。ハウジング１４０では、一方の回収樋２１の下流端を球受入口１４１に連通させ、他方の回収樋２２の上流端を球受渡口１４２に連通させるから、遊技球を円滑に一方の回収樋２１から他方の回収樋２２まで受け継がせることができる。
【００６９】
また、各回収樋２１，２２上のみならずハウジング１４０上にも、遊技機１０から排出された遊技球がそのまま落下するが、ここでハウジング１４０の上方には、図２に示すように、ハウジング１４０を覆って遊技機１０より落下する遊技球を受ける保護カバー５を配設すると良い。これにより、遊技球がハウジング１４０に直接衝突する事態を防ぎ、ハウジング１４０内のリフト機構１１０を遊技球の衝撃から保護することができる。なお、保護カバー５は、遊技球を受けて両側の回収樋２１，２２に受け流すような構造の板材であれば足りる。
【００７０】
遊技球揚送装置１００の保守点検や交換の作業時には、以下の手順で遊技球揚送装置１００を島外に取り出す。先ず図１において、遊技球揚送装置１００の前方にある遊技機島１の外装の一部を取り外し、遊技球揚送装置１００を島外に露出させる。なお、図中ではハウジング１４０の正面はそのまま開口しているが、ハウジング１４０の正面開口に簡単に着脱可能な正面カバーを設けておき、遊技球揚送装置１００を取り出す際にこの正面カバーを外すようにしても良い。
【００７１】
そして、ハウジング１４０の正面開口に沿って立ち上がる収納状態（図１６参照）の支持台１６０を前方に伸展させて使用状態（図１７参照）にする。支持台１６０が使用状態の時、その一方の板材１６１は、ハウジング１４０の正面開口より前方へ水平に延び、他方の板材１６２は、一方の板材１６１の先端よりさらに前方に傾斜して延びてフロア上に接地する。このような使用状態の支持台１６０上にリフト機構１１０を一時的に置くことができる。
【００７２】
また、ハウジング１４０内に未だリフト機構１１０が格納された状態で、ハウジング１４０にある球受入口１４１を球止めシャッター１５０で閉じる。これにより、リフト機構１１０をハウジング１４０の外部に取り出す際に、回収樋２１の下流端が閉鎖されることになり、回収樋２１から遊技球が外部に零れ落ちる事態を防ぐことができる。従って、リフト機構１１０の保守点検や交換の作業をよりいっそう効率良く行うことができる。
【００７３】
詳しく言えば図１３，図１２に示すように、球止めシャッター１５０の先端にある抜差し口１５３を、球受入口１４１の上面に沿って延びるレール部材１４５の正面手前の基端側より差し込み、抜差し口１５３に連なるスリット１５２にレール部材１４５の一段幅狭な下部側を嵌合させる。
【００７４】
これにより、球止めシャッター１５０は球受入口１４１に対して前後方向にスライド可能に取り付けられ、球受入口１４１を開閉することができる。このような球止めシャッター１５０のスライド移動は、ハウジング１４０内のリフト機構１１０に干渉することがない。球止めシャッター１５０の正面壁１５５にはツマミ１５６が設けられており、球止めシャッター１５０を球受入口１４１に対して容易にスライド操作することができる。
【００７５】
図１３に示すように、球止めシャッター１５０において、球受入口１４１を閉じる際にその底面上に溜まった遊技球に最初に接触する先端縁１５４は、遊技球同士の間隙に入り込みやすいよう凹凸形状に切り欠かれている。これにより、球止めシャッター１５０の閉操作に伴って、その先端縁１５４を遊技球溜まり中に圧入させる場合でも、前記凹凸形状によって遊技球を押し退ける抵抗が少なくなり、球止めシャッター１５０を容易に閉じることができる。なお、通常の状態では図１１に示すように、球受入口１４１から球止めシャッター１５０は取り外されており球受入口１４１は開いている。
【００７６】
さらに、ハウジング１４０内に未だリフト機構１１０が格納された状態で、今度はリフト機構１１０自体にある球零れ防止シャッター１２０によって導入口１１３を閉じる。これにより、リフト機構１１０をハウジング１４０から外部に取り出す際に、リフト機構１１０の導入口１１３が閉鎖され、導入口１１３からユニット内の遊技球が外部に零れ落ちることがない。従って、従来のようにリフト機構１１０から予め遊技球を抜き出すような面倒な準備が不要となり、保守点検や交換の作業を効率良く行うことができる。
【００７７】
詳しく言えば図５において、球零れ防止シャッター１２０は、導入口１１３が開いた開位置にロックされているが、ここで操作レバー１２６を側方に９０度回転させると、図８（ａ）に示すように操作レバー１２６の回転中心である固着子１２３が、ガイド溝１１７（円形孔１１７ａを含む）内を移動できる拘束解除状態となる。ここで球零れ防止シャッター１２０を押し下げて、図６に示したように下方へ移動させれば、導入口１１３を閉じた閉状態となる。かかる閉状態には球零れ防止シャッター１２０の自重で維持することができる。なお、球零れ防止シャッター１２０を再び開状態にするには前記と逆の操作を行う。
【００７８】
図６に示すように、球零れ防止シャッター１２０でも、導入口１１３を閉じる際にその底面上に溜まった遊技球に最初に接触する下端縁１２１は、遊技球同士の間隙に入り込みやすいよう凹凸形状に切り欠かれている。これにより、球零れ防止シャッター１２０の閉操作に伴って、その下端縁１２１を遊技球溜まり中に圧入させる場合でも、前記凹凸形状によって遊技球を押し退ける抵抗が少なくなり、球零れ防止シャッター１２０を容易に閉じることができる。
【００７９】
また、球零れ防止シャッター１２０は、リフト機構１１０と一体でありユニットの一部を成している。これにより、球零れ防止シャッター１２０を別体で設けた場合のように、球零れ防止シャッター１２０の保管場所を定めたり、球零れ防止シャッター１２０を紛失するような虞もない。なお、リフト機構１１０の放出口１１４は、ユニットの上部位置にあるため、リフト機構１１０をハウジング１４０から取り出す際に、放出口１１４からは遊技球が零れ落ちることはなく、この放出口１１４は特に閉じる必要はない。
【００８０】
その後、前述した使用状態に引き出してある支持台１６０上にリフト機構１１０を載せたりして遊技機島１より取り出すことができる。このように、支持台１６０上にリフト機構１１０を一時的に置くことができるので、狭いスペースでも保守点検や交換の作業を容易に行うことができる。また、支持台１６０を使用しない時は、折り畳んで収納しておくことができるので余計な配置スペースも必要ない。また、リフト機構１１０の正面壁には取手１１２があるから、容易に取り出したり再び収納する作業を行うことができる。
【００８１】
リフト機構１１０をハウジング１４０から外に取り出した後、球排出受箱１７０を回収樋２１の下流端である球受入口１４１の下方に設置し、さらに玉箱６を球排出受箱１７０の開口部１７２の下方に置く。そして、前記球受入口１４１を閉じていた球止めシャッター１５０をいったん取り外すと、回収樋２１から放出された遊技球が球排出受箱１７０を経由して玉箱６に溜まることになる。このように、回収樋２１内に滞った遊技球を遊技機島１外に放出することにより、回収樋２１における球詰まり等を回避することができる。
【００８２】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、複数の搬送路として、島下部で回収機構を構成する回収樋２１，２２に適用した例を説明したが、島上部で補給機構を構成する補給樋に適用することもできる。また、複数の回収樋２１，２２の数も２つに限られることなく、３つ以上を並べて構成しても良い。
【産業上の利用可能性】
【００８３】
複数の遊技機を備える遊技機島において、遊技機で使用する遊技球を島内で循環させる経路の一環として、特に適用することができる。
【符号の説明】
【００８４】
１…遊技機島
２…空きスペース
３…脚台
４…吊り金具
５…保護カバー
６…玉箱
１０…遊技機
１１…球貸機
１２…島端ユニット
２１…回収樋
２２…回収樋
１００…遊技球揚送装置
１１０…リフト機構
１１１…外装カバー
１１２…取手
１１３…導入口
１１４…放出口
１１５…ベース部材
１１６…取付部
１１７…ガイド溝
１１７ａ…円形孔
１２０…球零れ防止シャッター
１２１…下端縁
１２２…上端縁
１２３…固着子
１２４…軸部
１２４ａ…平坦面
１２５…ツバ
１２６…操作レバー
１３１…揚送ベルト
１３２…駆動プーリ
１３３…従動プーリ
１３４…電動モータ
１３４ａ…駆動ベルト
１３５…テンションプーリ
１３５ａ…回動軸
１４０…ハウジング
１４１…球受入口
１４２…球受渡口
１４３…連結金具
１４４…連結金具
１４５…レール部材
１５０…球止めシャッター
１５１…上辺部
１５２…スリット
１５３…抜差し口
１５４…先端縁
１５５…正面壁
１５６…ツマミ
１６０…支持台
１６１…板材
１６２…板材
１６３…蝶番
１７０…球排出受箱
１７１…底面部
１７２…開口部
【図１】
0005608071.tif 000002
【図２】
0005608071.tif 000003
【図３】
0005608071.tif 000004
【図４】
0005608071.tif 000005
【図５】
0005608071.tif 000006
【図６】
0005608071.tif 000007
【図７】
0005608071.tif 000008
【図８】
0005608071.tif 000009
【図９】
0005608071.tif 000010
【図１０】
0005608071.tif 000011
【図１１】
0005608071.tif 000012
【図１２】
0005608071.tif 000013
【図１３】
0005608071.tif 000014
【図１４】
0005608071.tif 000015
【図１５】
0005608071.tif 000016
【図１６】
0005608071.tif 000017
【図１７】
0005608071.tif 000018
【図１８】
0005608071.tif 000019
【図１９】
0005608071.tif 000020
【図２０】
0005608071.tif 000021